(57)【要約】【課題】誤配線による部品の破壊を防止する。【解決手段】  電源からの第１の電圧が供給される電源端子と；前記電源端子から第１の電圧が供給されて前記第１の電圧よりも低い第２の電圧を発生する電源回路と；前記電源回路からの第２の電圧で動作する弱電回路部と；前記弱電回路部に接続され前記第２の電圧を外部に出力するための接続端子と；前記電源端子から前記第１の電圧が供給された場合にのみ、前記弱電回路部と前記接続端子との間の配線に設けられた第１の接点部を導通させるスイッチング制御部と；を具備したことを特徴とする。【選択図】図１
2009141515.tif 000002
【特許請求の範囲】
【請求項１】
電源からの第１の電圧が供給される電源端子と；
前記電源端子から第１の電圧が供給されて前記第１の電圧よりも低い第２の電圧を発生する電源回路と；
前記電源回路からの第２の電圧で動作する弱電回路部と；
前記弱電回路部に接続され前記第２の電圧を外部に出力するための接続端子と；
前記電源端子から前記第１の電圧が供給された場合にのみ、前記弱電回路部と前記接続端子との間の配線に設けられた第１の接点部を導通させるスイッチング制御部と；
を具備したことを特徴とする電子機器。
【請求項２】
前記電源端子と前記電源回路との間の配線に設けられた第２の接点部を更に具備し；
前記スイッチング制御部は、前記第１の電圧を含む所定範囲の電圧が供給された場合にのみ、前記第１及び第２の接点部を導通させる；
ことを特徴とする請求項１に記載の電子機器。
【請求項３】
請求項１又は２に記載の電子機器によって構成された親機と；
前記接続端子から前記第２の電圧が供給されて動作する子機と；
を具備したことを特徴とするインターホン装置。
【発明の詳細な説明】
【技術分野】
【０００１】
本発明は、子機に電源電圧を供給する親機に好適な電子機器及びインターホン装置に関する。
【背景技術】
【０００２】
従来、インターホン装置として、玄関周囲を撮影する機能を備えたテレビドアホン装置が用いられることがある。テレビドアホン装置は、室外に設置された子機と室内に設置された親機との間で通話を可能にするだけでなく、子機のカメラによって撮影した画像を、親機に伝送して表示させることもできる。このようなテレビドアホン装置においては、一般的に、親機の電源回路から子機に電源を供給するようになっている。
【０００３】
即ち、親機は、通常、商用交流電源から電源電圧が供給される。親機は電源回路を備えており、親機内部及び子機において使用する低電圧の電圧を発生する。親機の筐体には、商用交流電源からの電源電圧が印加される電源端子の他に、子機に低電圧の電源電圧を供給するための子機用端子を備えている。なお、一般的には、子機用端子と子機とはペア線によって接続され、子機には、このペア線を介して電源電圧が供給されると共に、電源電圧に重畳させて信号を伝送するようになっている。
【０００４】
このようなテレビドアホン装置においては、特許文献１に開示されたものがある。なお、特許文献１の装置は、接続端子のショートによる破壊から室内親機を保護する機能を有する。
【特許文献１】特開２００２−１１２２５１号公報
【発明の開示】
【発明が解決しようとする課題】
【０００５】
ところで、一般的には、親機と子機との接続は施工業者によって行われることから、電源端子と子機用端子としては、プラグやコンセントを用いないねじ端子や速結端子等の直付け端子が採用されることが多い。ところが、電源端子と子機用端子とは、配置位置が機器によって異なり、しかもいずれもペア端子であることから、端子とペア線との接続作業時に、接続すべき端子を間違ってしまうことがある。
【０００６】
子機からのペア線を間違って電源端子に接続しても、特には問題は生じない。しかし、商用交流電源を供給する電源線を間違って子機用端子に接続した場合には、親機内の低電圧で動作する回路に、子機用端子からの電流が流れて電解コンデンサ等の部品が破壊してしまうことがある。しかも、低電圧で動作する回路部分に、耐圧を超える商用交流電源電圧（１００Ｖ）が印加されてしまい、この回路部分は著しく破壊してしまうという問題点があった。
【０００７】
本発明は、ペア線を接続すべきでない端子に誤って接続した場合でも、機器内の回路が破損してしまうことを防止することができる電子機器及びインターホン装置を提供することを目的とする。
【課題を解決するための手段】
【０００８】
請求項１記載の電子機器は、電源からの第１の電圧が供給される電源端子と；前記電源端子から第１の電圧が供給されて前記第１の電圧よりも低い第２の電圧を発生する電源回路と；前記電源回路からの第２の電圧で動作する弱電回路部と；前記弱電回路部に接続され前記第２の電圧を外部に出力するための接続端子と；前記電源端子から前記第１の電圧が供給された場合にのみ、前記弱電回路部と前記接続端子との間の配線に設けられた第１の接点部を導通させるスイッチング制御部と；を具備したものであり、
請求項２記載の電子機器は、前記電源端子と前記電源回路との間の配線に設けられた第２の接点部を更に具備し；前記スイッチング制御部は、前記第１の電圧を含む所定範囲の電圧が供給された場合にのみ、前記第１及び第２の接点部を導通させる；ことを特徴とするものであり、
請求項３記載のインターホン装置は、請求項１又は２に記載の電子機器によって構成された親機と；前記接続端子から前記第２の電圧が供給されて動作する子機と；を具備したものである。
【０００９】
そして、電源端子を介して取り込まれた第１の電圧は電源回路に供給され、第１の電圧よりも低い第２の電圧が発生する。弱電回路部はこの第２の電圧で動作すると共に、接続端子を介して第２の電圧を外部に出力する。この弱電回路部と接続端子との間の配線には、第１の接点部が設けられている。スイッチング制御部は、電源端子を介して第１の電圧が供給された場合にのみ、第１の接点部を導通させる。これにより、第１の電圧を伝送する電源線が誤配線によって接続端子に接続された場合でも、第１の接点部は非導通であるので、第１の電圧が弱電回路部に供給されることはなく、弱電回路部の部品が破壊されることを防止することができる。
【発明の効果】
【００１０】
本発明によれば、ペア線を接続すべきでない端子に誤って接続した場合でも、機器内の回路が破損してしまうことを防止することができるという効果を有する。
【発明を実施するための最良の形態】
【００１１】
以下、図面を参照して本発明の実施の形態について詳細に説明する。
【００１２】
図１は第１の実施の形態に係る電子機器を示す回路図である。本実施の形態は、子機とペア線によって接続されるインターホン装置の親機に適用したものである。
【００１３】
親機である電子機器１１は、インターホン装置の設置時に、ペア線４０によって子機４１と接続されるようになっている。子機４１は、カメラ４２、マイク４３及びスピーカ４４を有している。電子機器１１は、チップ部１２上に制御回路部１３及び子機用回路部１４が設けられる。子機用回路部１４は、ペア線４０を介して、子機４１に電源電圧を供給すると共に、子機４１を制御するための信号を送信し、子機４１からの信号を受信する。
【００１４】
子機用回路部１４は、子機４１のカメラ４２によって撮影して得た映像信号がペア線４０を介して入力され、入力された映像信号に基づく画像を図示しない表示パネルに表示させる。また、子機用回路部１４は、子機のマイク４３によって得られた音声信号が入力され、入力された音声信号に基づく音響を図示しないスピーカを介して音響出力させる。また、子機用回路部１４は、電子機器１１の図示しないマイクによって収音して得た音声信号を子機４１に伝送してスピーカ４４から音響出力させるようになっている。
【００１５】
制御回路部１３は、電子機器１１の全体を制御すると共に、子機を制御するための信号を子機用回路部１４に供給する。制御回路部１３及び子機用回路部１４は、端子２０を介して電源電圧が供給されるようになっている。
【００１６】
１００Ｖを発生する図示しない商用交流電源からの電源線は、電子機器１１の電源端子１５に接続されるようになっている。電源端子１５は、後述するスイッチング制御部１７を介して電源回路１９に接続される。電源回路１９は電源端子１５からの商用交流電源電圧が与えられて、チップ部１２上で必要な電源電圧、例えば、直流１２Ｖの低電圧を発生して、端子２０に供給するようになっている。端子２０に供給された電圧が制御回路部１３及び子機用回路部１４に供給されて、これらの回路が動作するようになっている。
【００１７】
また、親機である電子機器１１と子機４１との接続は、上述したようにペア線４０を介して行われる。ペア線４０を接続端子１６に接続することで、電子機器１１と子機４１とが電気的に接続される。本実施の形態においては、子機用端子である接続端子１６は接点部１８を介してチップ部１２の端子２１に接続されるようになっている。
【００１８】
接点部１８はスイッチング制御部１７によって導通，非導通が制御される。接点部１８が導通することによって、子機用回路部１４と子機とが端子２１，接点部１８、接続端子１６及びペア線４０を介して電気的に接続され、信号の伝送及び子機４１用の電源電圧の供給が可能となる。
【００１９】
なお、電源端子１５及び接続端子１６としては、プラグやコンセントを用いないねじ端子や速結端子等の直付け端子が採用される。電源端子１５及び接続端子１６への電源線及びペア線４０の接続作業は、上述したように、インターホン装置の設置時に行われるようになっている。
【００２０】
スイッチング制御部１７は、接点部１８の導通，非導通を制御する。スイッチング制御部１７は、電源端子１５に商用交流電源電圧が印加されることによって接点部１８を導通させ、電源端子１５に商用交流電源電圧が印加されていない場合には接点部１８を非導通にさせるようになっている。
【００２１】
なお、スイッチング制御部１７及び接点部１８としては、一般的なリレー、サイリスタ、ＳＳＲ等、種々のものを採用することができる。
【００２２】
次に、このように構成された実施の形態の動作について説明する。
【００２３】
いま、電源端子１５及び接続端子１６に正しく電源線及びペア線を接続するものとする。即ち、接続電源端子１５に商用交流電源からの電源線を接続し、接続端子１６に子機からのペア線を接続する。この場合には、問題なく動作が行われる。即ち、商用交流電源からの電源電圧は電源端子１５及びスイッチング制御部１７を介して電源回路１９に供給される。電源回路１９はチップ部１２において使用する電源電圧、例えば直流１２Ｖの電圧を発生する。この直流電圧は端子２１を介してチップ２１に供給される。制御回路部１３は子機用回路部１４を制御して、図示しない子機を制御する。
【００２４】
子機用回路部１４は、端子２１を介して子機において用いる電源電圧を出力する。また、子機用回路部１４は電源電圧に子機を制御するための信号を重畳させて送信する。子機用の電源電圧及び信号は、接点部１８を介して接続端子１６に供給される。接点部１８は、スイッチング部１７に商用交流電源電圧が供給されることで、導通状態となっており、子機用回路部１４からの電源電圧及び信号は、接続端子１６からペア線を介して子機に供給される。
【００２５】
また、子機からの映像信号及び音声信号は、電源電圧に重畳され、ペア線を介して接続端子１６に伝送される。この映像信号及び音声信号は、接続端子１６から接点部１８及び端子２１を介して子機用回路部１４に供給される。子機用回路部１４は、入力された映像信号に基づく映像を表示パネルに表示させると共に、入力された音声信号に基づく音響をスピーカから出力させる。
【００２６】
ここで、電源端子１５及び接続端子１６と電源線及びペア線とを誤配線するものとする。例えば、電源端子１５にのみ子機に接続されたペア線が接続されるものとする。この場合には、商用交流電源からの電源線は電子機器１１には接続されておらず、電子機器１１の電源回路１９には電源電圧が供給されていないので、単に電子機器１１及び子機が動作しないだけである。
【００２７】
ここで、電源端子１５及び接続端子１６と電源線及びペア線とを相互に誤配線した場合のように、接続端子１６に商用交流電源からの電源線が接続されるものとする。この場合には、商用交流電源電圧は接続端子１６に供給される。しかし、電源端子１５には商用交流電源電圧は印加されない。従って、スイッチング制御部１７は、接点部１８を非導通にさせたままである。従って、電源端子１５に印加された商用交流電源電圧が端子２１を介してチップ部１２に供給されることはない。
【００２８】
このように本実施の形態においては、商用交流電源電圧が印加される電源端子１５と端子２０との間にスイッチング制御部１７を設け、接続端子１６と端子２１との間に接点部１８を設ける。そして、スイッチング制御部１７に商用交流電源電圧が供給されることで、接点部１８を導通させるようにしていることから、商用交流電源電圧が接続端子１６に印加された場合でも、接点部１８には非導通であり、商用交流電源電圧がチップ部１２に供給されることを防止することができる。これにより、誤配線によってチップ部１２上の部品が破壊されることを防止することができる。
【００２９】
図２は第１変形例を示す回路図である。図２において図１と同一の構成要素には同一符号を付して説明を省略する。
【００３０】
図２の第１変形例は、親機である電子機器１１’が商用交流電源電圧で動作する制御回路部（強電回路部）１３’と、例えば直流１２Ｖ等の弱電圧によって動作する子機用回路部（弱電回路部）１４によって構成された例を示している。
【００３１】
制御回路部１３’は、電源端子１５に直接接続されて、商用交流電源電圧が供給されて動作する。一方、子機用回路部１４は、電源回路１９からの低電圧、例えば直流１２Ｖの弱電圧が供給されて動作する。
【００３２】
図２の第１変形例においても、スイッチング制御部１７は、電源端子１５に接続されて、電源端子１５からの商用交流電源電圧が供給されることで、接点部１８を導通状態にする。これにより、図２の第１変形例においても、接続端子１６に商用交流電源からの電源線が接続されたとしても、接点部１８が非導通であるので、子機用回路部１４に商用交流電源電圧が供給されることはなく、子機用回路部１４が商用交流電源電圧によって破壊されることを防止することができる。
【００３３】
図３は第２変形例を示す回路図である。図３において図１同一の構成要素には同一符号を付して説明を省略する。
【００３４】
図３の第２変形例においても、親機である電子機器１１”は商用交流電源電圧で動作する制御回路部（強電回路部）１３”と、例えば直流１２Ｖ等の弱電圧によって動作する子機用回路部（弱電回路部）１４によって構成される。
【００３５】
制御回路部１３”は、電源端子１５に直接接続されて、商用交流電源電圧が供給されて動作する。制御回路部１３”は、商用交流電源電圧を電源回路１９に供給することができる。電源回路１９は、制御回路部１３”からの電源電圧を低電圧、例えば直流１２Ｖの弱電圧に変換して、子機用回路部１４に供給することができるようになっている。
【００３６】
図３の第２変形例においても、スイッチング制御部１７は、電源端子１５に接続されて、電源端子１５からの商用交流電源電圧が供給されることで、接点部１８を導通状態にする。これにより、図３の第２変形例においても、接続端子１６に商用交流電源からの電源線が接続されたとしても、接点部１８が非導通であるので、子機用回路部１４に商用交流電源電圧が供給されることはなく、子機用回路部１４が商用交流電源電圧によって破壊されることを防止することができる。
【００３７】
図４は本発明の第２の実施の形態を示す回路図である。図４において図１と同一の構成要素には同一符号を付して説明を省略する。
【００３８】
図２及び図３の変形例においては、商用交流電源で動作する制御回路部が採用されている。一般的には、消費電力等を考慮して、制御回路部においては商用交流電源電圧（１００Ｖ）に対応した耐圧に設定される。従って、電源端子１５に２００Ｖの電源電圧が印加された場合には、制御回路部の部品が破壊されてしまう。そこで、本実施の形態は、電源端子１５又は接続端子１６に２００Ｖの電源電圧が印加された場合でも、機器の回路部品が破壊されることを防止可能にしたものである。
【００３９】
本実施の形態における電子機器３１は、スイッチング制御部１７及び接点部１８に代えて、メーターリレー３２及びその接点部３３，３４を採用した点が第１の実施の形態と異なる。接点部３３は接続端子１６とチップ部１２の端子２１との間の配線に設けられる。メーターリレー３２は、電源端子１５と電源回路１９との間に設けられ、接点部３４はメーターリレー３２と電源回路１９との間の配線に設けられる。
【００４０】
メーターリレー３２は、電源端子１５に所定の電圧範囲の電圧が印加されることで、接点部３３，３４を導通させるようになっている。メーターリレー３２に設定する電圧範囲を、１００Ｖの商用交流電源電圧近傍の値、例えば９０Ｖ〜１１０Ｖの範囲に設定する。これにより、メーターリレー３２は、１００Ｖ近傍の電源電圧が印加された場合にのみ接点部３３，３４を導通状態にし、その他の電圧範囲、例えば電源供給がない場合や２００Ｖの電源電圧が印加された場合には、接点部３３，３４を非導通にする。
【００４１】
次に、このように構成された実施の形態の動作について説明する。
【００４２】
いま、電源端子１５に１００Ｖの電源電圧を供給する電源線を接続し、接続端子１６に子機からのペア線を接続するものとする。この場合には、メーターリレー３２は、１００Ｖの電源電圧が供給されて接点部３３，３４を導通状態にする。これにより、１００Ｖの商用交流電源電圧は、電源端子１５からメーターリレー３２及び接点部３４を介して電源回路１９に供給され、電源回路１９において低電圧に変換された後、端子２０からチップ部１２に供給される。こうして、親機である電子機器３１及び子機は正常に動作する。
【００４３】
次に、１００Ｖの電源電圧を供給する電源線を、間違って接続端子１６に接続するものとする。この場合には、メーターリレー３２は、接点部３３，３４を非導通にさせるので、１００Ｖの商用交流電源電圧は、子機用回路部１４に供給されることはなく、誤配線による部品の破壊を防止することができる。
【００４４】
次に、２００Ｖの電源電圧を供給する電源線を、間違って接続端子１６に接続するものとする。この場合にも、メーターリレー３２は、接点部３３，３４を非導通にさせるので、２００Ｖの商用交流電源電圧は、子機用回路部１４に供給されることはなく、誤配線による部品の破壊を防止することができる。
【００４５】
更に、２００Ｖの電源電圧を供給する電源線を、間違って接続端子１５に接続するものとする。この場合には、メーターリレー３２には２００Ｖの電源電圧が印加される。メーターリレー３２の電圧範囲は、例えば９０Ｖ−１１０Ｖであり、接点部３３，３４を非導通である。従って、２００Ｖの電源電圧は電源回路１９に供給されることはなく、チップ部１２の部品が破壊されることを防止することができる。
【００４６】
このように本実施の形態においては、１００Ｖだけでなく２００Ｖの電源電圧を供給する電源線を誤接続した場合でも、部品の破壊を防止することができるという効果を有する。
【００４７】
なお、本発明はインターホン装置の親機だけでなく、強電回路用の高い電圧が入力されて、弱電回路用の低い電圧を、外部の機器に出力可能な機器に適用可能である。
【図面の簡単な説明】
【００４８】
【図１】第１の実施の形態に係る電子機器を示す回路図。
【図２】第１変形例を示す回路図。
【図３】第２変形例を示す回路図。
【図４】本発明の第２の実施の形態を示す回路図。
【符号の説明】
【００４９】
１１…電子機器
１２…チップ部
１３…制御回路部
１４…子機用回路部
１５…電源端子
１６…接続端子
１７…スイッチング制御部
１８…接点部
１９…電源回路
【図１】
2009141515.tif 000003
【図２】
2009141515.tif 000004
【図３】
2009141515.tif 000005
【図４】
2009141515.tif 000006